(57)【要約】【課題】狭いスペースでスイング時の左右の揺れとボールに対するパターフェイスの高さを矯正するための練習をすることはできなかった。【解決手段】パターフェイスに貫通開口を設け、幅調節部材と高さ調節部材で貫通開口内を画定する空間を調節し、その空間内をスイング矯正具に触れないようにスイングする。【選択図】図５
2006000341.tif 000002
【特許請求の範囲】
【請求項１】
練習用パターと、スイング矯正具から成るパッティング練習用具であって、
スイング矯正具は、パッティングにおけるターゲットラインに沿っておかれる細長い部材とされ、その長さ方向で所定間隔離れた少なくとも２つの部位におけるターゲットラインを中心とした幅がゴルフボールの直径若しくはそれに近似したサイズの幅とされ、その他の部位は、該幅若しくはそれ以下の幅とされており、
練習用パターは、パターヘッドのソールから所要高さまで上方に延び、パターフェイス面内のゴルフボール打撃点を中心に上記スイング矯正具の上記２つの部位の幅よりも広い幅とされ、当該パターヘッドをその前後方向に貫通した貫通開口を有することを特徴とするパッティング練習用具。
【請求項２】
請求項１に記載のパッティング練習用具であって、
練習用パターのパターヘッドは、上記貫通開口の左右両側部に設定され、上記スイング矯正具を当該貫通開口の前後方向で通すための所要の幅の空間を画定する幅調節部材を有することを特徴とするパッティング練習用具。
【請求項３】
請求項１若しくは２に記載のパッティング練習用具であって
練習用パターのパターヘッドは、上記貫通開口の上部に設定され、上記スイング矯正具を当該貫通開口の前後方向で通すための空間の所要の高さを画定する高さ調節部材を有することを特徴とするパッティング練習用具。
【請求項４】
請求項１に記載のパッティング練習用具であって、
上記スイング矯正具は、少なくとも２つのゴルフボールと、該ゴルフボール同士を直線上で連結する連結杆とを有することを特徴とするパッティング練習用具。
【請求項５】
練習用パターであって、
パターヘッドのソールから所要高さまで上方に延び、該パターヘッドの前後方向に貫通した貫通開口を有し、
パターヘッドの上記貫通開口の左右両側部に設けられた幅調節部材であって、当該幅調節部材の間に所要幅の空間を画定する幅調節部材を有することを特徴とする練習用パター。
【請求項６】
請求項５に記載の練習用パターであって
上記貫通開口における上記空間の上部に設けられ、該空間における上記ソール面からの高さを画定する高さ調節部材を有することを特徴とする練習用パター。
【請求項７】
請求項５若しくは６に記載の練習用パターであって、
上記幅調節部材は、該パターヘッドの左右両側部から該パターヘッドの幅方向中心に向けて挿入され、それぞれ該幅方向で変位可能とされた２つの部材とされていることを特徴とする練習用パター。
【請求項８】
請求項５乃至７のいずれかに記載の練習用パターであって、
パターヘッドは透明な素材であることを特徴とする練習用パター。
【請求項９】
請求項５乃至８のいずれかに記載の練習用パターであって、
上記パターヘッドに設けられた上記幅調節部材及び上記高さ調節部材の少なくとも一方の位置を計測することができるように、該パターヘッドに計測用目盛りが設けられていることを特徴とする練習用パター。
【請求項１０】
パッティングにおける上記スイングを矯正するためのスイング矯正具であって、
パッティングにおけるターゲットラインに沿っておかれる細長い部材とされ、その長さ方向で所定間隔離れた少なくとも２つの部位におけるターゲットラインを中心とした幅がゴルフボールの直径若しくはそれに近似したサイズの幅とされ、その他の部位は、該幅若しくはそれ以下の幅とされていることを特徴とするスイング矯正具。
【請求項１１】
請求項１０に記載のスイング矯正具であって、
少なくとも２つのゴルフボールと、該ゴルフボール同士を直線上で連結する連結杆とを有することを特徴とするスイング矯正具。
【請求項１２】
請求項１１に記載のスイング矯正具であって、
上記連結杆が、上記ゴルフボールに対して取り外し可能に連結されていることを特徴とするスイング矯正具。
【請求項１３】
請求項１１若しくは１２に記載のスイング矯正具であって、
上記ゴルフボール４個を上記連結杆により直線状に連結してなることを特徴とするスイング矯正具。
【発明の詳細な説明】
【技術分野】
【０００１】
本発明はゴルフのパッティングの練習において、スイングの軌道を一定に保つための練習用具に関するものである。
【背景技術】
【０００２】
ゴルフのパッティングの練習においては、パッティングラインに沿ってボールを正確に転がすために、テイクバックからフォロースルーまでスイングが左右にぶれないようにパターを振る必要がある。また、ボールに正確な回転を与えて転がすにはパターフェイスがボールの下部をインパクトしないようヘッドの高さに気を配る必要がある。
【０００３】
従来から知られているパッティング練習用具として、ボールを載せる平板状のもので、パッティングする際にパターヘッドがスイングされる経路の両側に沿って平行に設けられたガイド部材を有し、スイング時にパターヘッドがガイド部材に触れると音が発せられスイングのぶれを確認できるように構成したものや、パッティングラインに沿って平行に設定される直線状のガイド部材を備え、スイングするパターのシャフトを該ガイド部材に摺動させることにより、安定したスイングの習得ができるようにしたものがある。そのようなパッティング練習用具を開示するものとしては、下記のようなものがある。
【特許文献１】特開２００１−３５３２４９
【特許文献２】特開平１０−２４８９８４
【発明の開示】
【発明が解決しようとする課題】
【０００４】
しかしながら、従来のこれらの練習用具はサイズが大きく、持ち運びに不便で、狭いスペースでの練習などに難があった。また、従来のそのような練習用具ではスイング時の左右のぶれを矯正することはできても、ボールに対するパターフェイスの高さを適正にするための練習をすることはできなかった。
【０００５】
本発明は、このような従来のパッティング練習用具の欠点を解消することを目的とする。
【課題を解決するための手段】
【０００６】
練習用パターと、スイング矯正具から成るパッティング練習用具であって、
スイング矯正具は、パッティングにおけるターゲットラインに沿っておかれる細長い部材とされ、その長さ方向で所定間隔離れた少なくとも２つの部位におけるターゲットラインを中心とした幅がゴルフボールの直径若しくはそれに近似したサイズの幅とされ、その他の部位は、該幅若しくはそれ以下の幅とされており、
練習用パターは、パターヘッドのソールから所要高さまで上方に延び、パターフェイス面内のゴルフボール打撃点を中心に上記スイング矯正具の上記２つの部位の幅よりも広い幅とされ、当該パターヘッドをその前後方向に貫通した貫通開口を有することを特徴とするパッティング練習用具を提供する。
【０００７】
具体的には、練習用パターのパターヘッドは、上記貫通開口の左右両側部に設定され、上記スイング矯正具を当該貫通開口の前後方向で通すための所要の幅の空間を画定する幅調節部材を有するものとすることができる。
【０００８】
また、練習用パターのパターヘッドは、上記貫通開口の上部に設定され、上記スイング矯正具を当該貫通開口の前後方向で通すための空間の所要の高さを画定する高さ調節部材を有するものとすることができる。
【０００９】
さらに、スイング矯正具は、少なくとも２つのゴルフボールと、該ゴルフボール同士を直線上で連結する連結杆とを有するものとすることができる。
【００１０】
練習用パターであって、
パターヘッドのソールから所要高さまで上方に延び、該パターヘッドの前後方向に貫通した貫通開口を有し、
パターヘッドの上記貫通開口の左右両側部に設けられた幅調節部材であって、当該幅調節部材の間に所要幅の空間を画定する幅調節部材を有することを特徴とする練習用パターを提供する。
【００１１】
具体的には、上記貫通開口における上記空間の上部に設けられ、該空間における上記ソール面からの高さを画定する高さ調節部材を有することを特徴とする練習用パターとすることができる。
【００１２】
また、上記幅調節部材は、該パターヘッドの左右両側部から該パターヘッドの幅方向中心に向けて挿入され、それぞれ該幅方向で変位可能とされた２つの部材とすることができる。
【００１３】
さらに、練習用パターのパターヘッドは透明な素材とすることができる。
【００１４】
さらに、練習用パターのパターヘッドに設けられた上記幅調節部材及び上記高さ調節部材の少なくとも一方の位置を計測することができるように、該パターヘッドに計測用目盛りを設けることができる。
【００１５】
パッティングにおける上記スイングを矯正するためのスイング矯正具であって、パッティングにおけるターゲットラインに沿っておかれる細長い部材とされ、その長さ方向で所定間隔離れた少なくとも２つの部位におけるターゲットラインを中心とした幅がゴルフボールの直径若しくはそれに近似したサイズの幅とされ、その他の部位は、該幅若しくはそれ以下の幅とされていることを特徴とするスイング矯正具を提供する。
【００１６】
具体的には、少なくとも２つのゴルフボールと、該ゴルフボール同士を直線上で連結する連結杆とを有するものとすることができる。
【００１７】
また、上記連結杆が、上記ゴルフボールに対して取り外し可能に連結されているものとすることができる。
【００１８】
さらに、上記ゴルフボール４個を上記連結杆により直線状に連結したものとすることができる。
【発明の効果】
【００１９】
本発明にかかるパッティング練習用具、練習用パター、スイング矯正具は、パッティングのスイングのぶれを練習者に認識させ、スイングの矯正に役立つ。
【００２０】
また、調節部材は貫通開口の左右両側部だけでなく上部にも設けられているので練習用パターのスイング時の左右のぶれがなくなるだけでなく、スイング時のボールに対するパターヘッドの高さ矯正にも役立つ。
【００２１】
さらに、幅調節部材はねじ等により先端部分間の、高さ調節部材はパターヘッドのソール面と貫通開口内に延びる高さ調節部材の先端部分間の距離を微調整することを可能としスイング技術の向上に合わせて上記幅及び高さを自由に設定することができる。
【００２２】
さらに、パターヘッドは透明な素材で作り、目盛りを設けることにより上記幅及び高さを目視で正確に設定することができる。
【００２３】
さらに、スイング矯正具はコンパクトで簡単に組み立て、分解することができるので所望の場所で練習をすることができる。
【発明を実施するための最良の形態】
【００２４】
以下、添付図面に基づき本発明に係るパッティング練習用具の実施形態につき説明する。図１乃至図５は本発明に係るパッティング練習用具の第１の実施形態を示している。図５に最も良く示すように、このパッティング練習用具１は、練習用パター２とスイング矯正具３とから構成されている。パッティング練習の際には、スイング矯正具３は、ターゲットライン（パッティングライン）に沿って置かれ、パッティング練習者は、練習用パターを、該矯正具３がパターヘッドに設けた（後述する）貫通開口１３に通されるようにスイングすることにより、ブレのないスイングができるようにするものである。
【００２５】
具体的には、練習用パター２は、シャフト４とパターヘッド５から成り、パターヘッド５には該パターヘッド５のソール５−１から所要高さまで上方に延び、且つ、パターフェイス９から後方に貫通した貫通開口１３が形成されている。
【００２６】
パターヘッド５の左右両側部１７から貫通開口内面１５に向けてねじ孔１６が設けられ、該ねじ孔１６内にボルト状とされた幅調節部材１１が挿入されている。幅調節部材１１はそれぞれ貫通開口１３内に突出し、その先端部間で、パッティング練習の際にスイング矯正具３を通すための空間２０の幅を画定する。各幅調節部材１１は、その外側端部にボルトヘッド状の操作部２３を備えており、練習者はこの操作部２３をもって当該調節部材を回転することにより、同調節部材先端の位置を調節することができるようになっている。
【００２７】
幅調節部材１１はパターヘッド５の幅方向で変位可能とされ、それによって上記空間２０の幅を調節できるようなものであれば、図示のようなねじ式のものでなくてもよい。
【００２８】
パターヘッド５の左右両側部１７における、幅調節部材１１の操作部２３の上方位置には、段部２１が形成されており、該段部２１の前面には幅調節部材１１の位置を確認するための目盛り１８が設けられている。この目盛り１８は、幅調節部材１１の操作部２３の当該パターヘッド５の幅方向における位置をミリ単位で決定することを可能とし、それにより、両幅調節部材１１、１１の先端部間に画定される空間の幅を決定することができるようにしている。
【００２９】
更に、図示の例では、図２に示すように、パターヘッド５は透明な素材で形成されており、パターヘッド５の頂面７にも、幅調節部材１１の位置（従って、左右の幅調節部材の先端間に画定される空間の幅）を決定するための目盛り１９が設けられている。この目盛り１９は、パターヘッド５の頂面７に、該パターヘッド５の幅方向に延びる一対の目盛り部分１９−１，１９−１を有し、両目盛り部分は、スイング矯正具３の幅（正確には、後述するスイング矯正具を構成するボール３５の直径）分だけ離された位置をゼロ点としてそれぞれ貫通開口１３の側壁面の位置までミリ単位の目盛りがつけられている。
【００３０】
スイング矯正具３は、前述の如く、練習に際しては、ターゲットラインに沿って置かれるものであり、４個のゴルフボール３５を連結杆３３で直線状に連結して形成されている。
具体的には、ゴルフボール３５にナット３１を固着し、連結杆３３の端部に形成したねじ部分を該ナット３１にねじ係合させることでゴルフボールを相互連結し、第１ゴルフボール３５から連結杆３３を介して接続している第２ゴルフボール３６までをフォロースルーゾーンＡとし、第２ゴルフボール３６をインパクトゾーンＢとし、第２ゴルフボール３６から第３ゴルフボール３７までをアドレスゾーンＣとし、第３ゴルフボール３７から第４ゴルフボール３８までをバックスイングゾーンＤとして構成している。（尚、本明細書中において、「ゴルフボール」とは、市販ゴルフボールのほかに、市販ゴルフボールと同径とした球を意味するものとする）。
【００３１】
図６及び図７に示す第２の実施形態にかかるパッティング練習具は、その全体的構成は前述の第１の実施形態に係るものとほぼ同様であるが、練習用パターの頂面７の中央に垂直に貫通したねじ孔２５が設けられ、該ねじ孔２５に、ボルト状とされた高さ調節部材１２がねじ係合されている。すなわち、このパッティング練習具では、高さ調節部材１２によって、スイング矯正具３を通すパターヘッド５の貫通開口内の空間の高さを任意に調節することができるようにしている。
【００３２】
以上、本発明に係るパッティング練習具につき説明したが、本発明はこれに限定されるものではなく、特許請求の範囲に規定した本発明の範囲内で種々の変更が可能である。
例えば、図示の実施形態では貫通開口１３の形状は四角形であるが、スイング矯正具３が通過できるものであればどのような形状でもよく、例えば円弧状とすることもできる。
【図面の簡単な説明】
【００３３】
【図１】本発明に係るゴルフ練習用具の第１の実施形態を示し、特に、該ゴルフ練習用具の練習用パターのパターヘッドを示す正面図である。
【図２】同パターヘッドの平面図である。
【図３】同ゴルフ練習用具のスイング矯正具の正面図である。
【図５】スイング矯正具の斜視図である。
【図４】同ゴルフ練習用具の斜視図である。
【図６】本発明に係るゴルフ練習用具の第２の実施形態において、パターヘッドの上部に高さ調節部材を設けたことを示す正面図である。
【図７】同パターヘッドの平面図である。
【符号の説明】
【００３４】
１          ゴルフ練習用具
２          練習用パター
３          スイング矯正具
４          シャフト
５          パターヘッド
５−１      ソール面
７          頂面
９          パターフェイス
１１        幅調節部材
１２        高さ調節部材
１３        貫通開口
１５        貫通開口内面
１６        ねじ孔
１７        側部
１８        目盛り
１９        目盛り
１９−１    目盛り部分
２０        空間
２１        段部
２３        操作部
２５        ねじ孔
３１        ナット
３３        連結杆
３５        第１ゴルフボール
３６        第２ゴルフボール
３７        第３ゴルフボール
３８        第４ゴルフボール
Ａ          フォロースルーゾーン
Ｂ          インパクトゾーン
Ｃ          アドレスゾーン
Ｄ          バックスイングゾーン
【図１】
2006000341.tif 000003
【図２】
2006000341.tif 000004
【図３】
2006000341.tif 000005
【図４】
2006000341.tif 000006
【図５】
2006000341.tif 000007
【図６】
2006000341.tif 000008
【図７】
2006000341.tif 000009